(57)【特許請求の範囲】
【請求項１】
記録・再生装置に使用するための情報記録媒体において、
前記情報記録媒体へのデータ記録を防止するための記録防止情報を記録するための第１領域と、前記第１領域に関する状態情報を含む状態情報フィールドを記録するための第２領域とを備え、
前記記録防止情報は、前記記録防止情報に前記情報記録媒体の全体に対するデータ記録を禁止するための情報が設定されても、前記第１領域の変更された状態情報をアップデートするための状態情報フィールドが前記第２領域に記録されることを許容するため、前記第２領域を除いたデータ記録禁止領域を設定する情報を含み、
前記記録防止情報は、記録防止が設定されたか否かを示す記録防止オン／オフ情報と、記録防止に対してパスワードが設定されたか否かを示すパスワードオン／オフ情報とを含み、
前記パスワードオン／オフ状態がオンであり、前記記録防止オン／オフ情報がオンである状態においてパスワードが特定の値に設定された場合に、前記情報記録媒体の全体に対するデータ記録を禁止するための機能が設定される
ことを特徴とする情報記録媒体。
【請求項２】
記録・再生装置に使用するための情報記録媒体において、
前記情報記録媒体へのデータ記録を防止するための記録防止情報を記録するための第１領域と、前記第１領域に関する状態情報を含む状態情報フィールドを記録するための第２領域とを備え、
前記記録防止情報は、前記記録防止情報に前記情報記録媒体の全体に対するデータ記録を禁止するための情報が設定されても、前記第１領域の変更された状態情報をアップデートするための状態情報フィールドが前記第２領域に記録されることを許容するため、前記第２領域を除いたデータ記録禁止領域を設定する情報を含み、
前記状態情報フィールドは、記録防止が設定されたか否かを示す記録防止オン／オフ情報を含み、前記記録防止情報は、記録防止に対してパスワードが設定されたか否かを示すパスワードオン／オフ情報を含み、
前記パスワードオン／オフ状態がオンであり、前記記録防止オン／オフ情報がオンである状態においてパスワードが特定の値に設定された場合に、前記情報記録媒体の全体に対するデータ記録を禁止するための機能が設定される
ことを特徴とする情報記録媒体。
【請求項３】
前記第１領域に関する状態情報は、
前記記録防止情報が記録された位置または前記記録防止情報が記録されるそれぞれの記録単位ブロックに対する有効性の情報を含むことを特徴とする請求項１又は２に記載の情報記録媒体。
【請求項４】
前記記録防止情報は、アクセス制御データに含まれており、前記状態情報フィールドは、ＤＤＳまたはＴＤＤＳに含まれていることを特徴とする請求項１又は２に記載の情報記録媒体。
【請求項５】
前記第１領域の変更された状態情報をアップデートするための状態情報が前記第２領域に記録されることが許容されて、前記状態情報が前記第２領域に記録された後には、前記情報記録媒体の全体へのデータ記録が禁止されることを特徴とする請求項１又は２に記載の情報記録媒体。
【請求項６】
情報記録媒体にデータを記録するか、または前記媒体からデータを再生する記録・再生装置において、
前記媒体にデータを記録するか、または前記媒体からデータを読み出す記録／読出し部と、
前記情報記録媒体へのデータ記録を防止するための記録防止情報を前記媒体の第１領域に記録し、前記第１領域に関する状態情報を前記媒体の第２領域に設けられた状態情報フィールドに記録するように、前記記録／読出し部を制御する制御部と、を備え、
前記制御部は、前記記録防止情報に前記情報記録媒体の全体に対するデータ記録を禁止するための情報が設定されても、前記第１領域の変更された状態情報をアップデートするための状態情報が前記第２領域に記録されることを許容するため、前記第２領域を除いたデータ記録禁止領域を設定する情報を前記記録防止情報に含めるように、前記記録／読出し部を制御し、
前記記録防止情報は、記録防止が設定されたか否かを示す記録防止オン／オフ情報と、記録防止に対してパスワードが設定されたか否かを示すパスワードオン／オフ情報とを含み、
前記パスワードオン／オフ状態がオンであり、前記記録防止オン／オフ情報がオンである状態においてパスワードが特定の値に設定された場合に、前記情報記録媒体の全体に対するデータ記録を禁止するための機能が設定される
ことを特徴とする記録・再生装置。
【請求項７】
情報記録媒体にデータを記録するか、または前記媒体からデータを再生する記録・再生装置において、
前記媒体にデータを記録するか、または前記媒体からデータを読み出す記録／読出し部と、
前記情報記録媒体へのデータ記録を防止するための記録防止情報を前記媒体の第１領域に記録し、前記第１領域に関する状態情報を前記媒体の第２領域に設けられた状態情報フィールドに記録するように、前記記録／読出し部を制御する制御部と、を備え、
前記制御部は、前記記録防止情報に前記情報記録媒体の全体に対するデータ記録を禁止するための情報が設定されても、前記第１領域の変更された状態情報をアップデートするための状態情報が前記第２領域に記録されることを許容するため、前記第２領域を除いたデータ記録禁止領域を設定する情報を前記記録防止情報に含めるように、前記記録／読出し部を制御し、
前記状態情報フィールドは、記録防止が設定されているか否かを示す記録防止オン／オフ情報を含み、前記記録防止情報は、記録防止に対してパスワードが設定されたのか否かを示すパスワードオン／オフ情報を含み、
前記パスワードオン／オフ状態がオンであり、前記記録防止オン／オフ状態がオンである状態においてパスワードが特定の値に設定された場合に、前記情報記録媒体の全体に対するデータ記録を禁止するための機能が設定される
ことを特徴とする記録・再生装置。
【請求項８】
前記制御部は、前記第１領域に関する状態情報に、前記記録防止情報が記録された位置または前記記録防止情報が記録されるそれぞれの記録単位ブロックに対する有効性の情報を含めることを特徴とする請求項６又は７に記載の記録・再生装置。
【請求項９】
前記記録防止情報は、アクセス制御データに含まれており、前記状態情報フィールドは、ＤＤＳまたはＴＤＤＳに含まれていることを特徴とする請求項６又は７に記載の記録・再生装置。
【請求項１０】
前記制御部は、
前記第１領域の変更された状態情報をアップデートするための状態情報が前記第２領域に記録されることが許容されて、前記状態情報が前記第２領域に記録された後には、前記情報記録媒体の全体へのデータ記録を禁止させることを特徴とする請求項６又は７に記載の記録・再生装置。
【請求項１１】
情報記録媒体へのデータ記録を制御する方法において、
前記情報記録媒体へのデータ記録を防止するための記録防止情報を前記媒体の第１領域に記録し、前記第１領域に関する状態情報を含む状態情報フィールドを前記媒体の第２領域に記録する段階と、
前記記録防止情報に前記情報記録媒体の全体に対するデータ記録を禁止するための情報が設定されても、前記第１領域の変更された状態情報をアップデートするための状態情報が前記第２領域に設けられた状態情報フィールドに記録されることを許容するため、前記第２領域を除いたデータ記録禁止領域を設定する情報を前記記録防止情報に含める段階とを含み、
前記記録防止情報は、記録防止が設定されたか否かを示す記録防止オン／オフ情報と、記録防止に対してパスワードが設定されたか否かを示すパスワードオン／オフ情報とを含み、
前記パスワードオン／オフ状態がオンであり、前記記録防止オン／オフ情報がオンである状態においてパスワードが特定の値に設定された場合に、前記情報記録媒体の全体に対するデータ記録を禁止するための機能が設定される
ことを特徴とする方法。
【請求項１２】
情報記録媒体へのデータ記録を制御する方法において、
前記情報記録媒体へのデータ記録を防止するための記録防止情報を前記媒体の第１領域に記録し、前記第１領域に関する状態情報を含む状態情報フィールドを前記媒体の第２領域に記録する段階と、
前記記録防止情報に前記情報記録媒体の全体に対するデータ記録を禁止するための情報が設定されても、前記第１領域の変更された状態情報をアップデートするための状態情報が前記第２領域に設けられた状態情報フィールドに記録されることを許容するため、前記第２領域を除いたデータ記録禁止領域を設定する情報を前記記録防止情報に含める段階とを含み、
前記状態情報フィールドは、記録防止が設定されたか否かを示す記録防止オン／オフ情報を含み、前記記録防止情報は、記録防止に対してパスワードが設定されたか否かを示すパスワードオン／オフ情報を含み、
前記パスワードオン／オフ状態がオンであり、前記記録防止オン／オフ情報がオンである状態においてパスワードが特定の値に設定された場合に、前記情報記録媒体の全体に対するデータ記録を禁止するための機能が設定される
ことを特徴とする方法。
【請求項１３】
前記第１領域に関する状態情報は、前記記録防止情報が記録された位置または前記記録防止情報が記録されるそれぞれの記録単位ブロックに対する有効性の情報を含むことを特徴とする請求項１１又は１２に記載の方法。
【請求項１４】
前記記録防止情報は、アクセス制御データに含まれており、前記状態情報フィールドは、ＤＤＳまたはＴＤＤＳに含まれていることを特徴とする請求項１１又は１２に記載の方法。
【請求項１５】
前記第１領域の変更された状態情報をアップデートするための状態情報が前記第２領域に記録されることが許容されて、前記状態情報が前記第２領域に記録された後には、前記情報記録媒体の全体へのデータ記録を禁止させる段階をさらに含むことを特徴とする請求項１１又は１２に記載の方法。
【発明の詳細な説明】
【技術分野】
【０００１】
本発明はディスク分野に係り、さらに具体的には、記録防止機能を効果的に行うことができる情報記録媒体、記録／再生装置及び記録／再生方法に関する。
【背景技術】
【０００２】
最近、光ディスク技術と半導体技術の発達により、初期に光ディスクドライブシステム及び光ディスクを含む光システムのための規格が確定された後、新たな機能の追加が頻繁になっており、このような場合に、初期に確定された規格は、アップデートされる必要がある。
【０００３】
既存規格を“ｏｌｄ規格”とし、ｏｌｄ規格に新たな機能が追加されてアップデートされた規格を“ｎｅｗ規格”とした時、ｏｌｄ規格ディスクは、ｏｌｄ規格ドライブシステムで動作されるように作られ、ｎｅｗ規格ディスクは、ｎｅｗ規格ドライブシステムで動作されるように作られる。
【０００４】
ｏｌｄ規格とｎｅｗ規格とは、追加された新たな機能のために記録／再生の互換性を維持することもあり、そうでないこともある。二つの規格が記録／再生の互換性をなすということは、ｏｌｄ規格のドライブシステムで使われるｏｌｄ規格ディスクが、ｎｅｗ規格のドライブシステムでも記録／再生が可能であることを示し、また、ｎｅｗ規格のドライブシステムで使われるｎｅｗ規格ディスクがｏｌｄ規格のドライブシステムでも記録／再生が可能であることを示す。
【０００５】
このように新たな機能の追加によりｏｌｄ規格とｎｅｗ規格、二つの規格間の相互記録／再生の互換性を保証するためには、ｏｌｄ規格のドライブシステムに新たな機能が適用されたｎｅｗ規格のディスクがローディングされた時、ｏｌｄ規格ドライブシステムがその新たな機能に適切に対応する必要性がある。このために、ｏｌｄ規格の制定当時、未来の新たな機能の追加に対する適切な対応を用意する必要性がある。
【０００６】
結局、このように新たな機能の追加による一連の色々な規格が相互記録／再生の互換性を有するためには、当初に規格を作る時、新たな機能の追加に備えなければならない。現在の規格に新たな機能が追加されて未来の規格が誕生した時、未来の規格のためのドライブシステムは、現在の規格のためのドライブシステムが新たな機能について行わなければならない動作をディスク上に保存すれば、これにより、現在の規格のドライブシステムに新たな機能が追加された未来のディスクがローディングされても、そのディスク上に保存された情報を読出してその新たな機能のための動作を行うことができる。
【０００７】
このように、互いに異なる規格間に記録／再生互換性を提供できるように設けられたデータに記録防止機能を具現できる。ところが、図１に示すように、ドライブシステムＡでローディングされたディスクＡに対して、記録／再生互換性データを通じて記録防止機能を設定した場合、このような記録防止機能が設定された記録／再生互換性データをアクセスするための制御情報を、ディスクＡの所定領域に記録しておく必要があるが、既に記録防止機能が設定されているので、それ以上情報記録媒体にデータを記録することができなくなる。したがって、このような状態でディスクＡがドライブシステムＡからイジェクトされてから、再びドライブシステムＡまたはその他のドライブシステムにローディングされた場合、ドライブシステムは、最も最近のアップデートされた制御情報が記録されていないため、情報記録媒体から以前の制御情報しか得ることができず、結果として、この媒体に記録防止機能が設定されたということを認知する方法がない。したがって、ディスクＡは、ユーザの意図とは違って、修正または変更されうるという問題点がある。
【発明の開示】
【発明が解決しようとする課題】
【０００８】
本発明は、情報記録媒体の記録防止機能を効果的に行うことができるための情報記録媒体、記録／再生装置及び記録／再生方法を提供することを目的とする。
【課題を解決するための手段】
【０００９】
前記のような課題を解決するための本発明の一つの特徴は、情報記録媒体において、前記情報記録媒体へのデータ記録を防止するための記録防止情報を記録するための第１領域と、前記第１領域に関する状態情報を含む状態情報フィールドを記録するための第２領域とを備え、前記記録防止情報に前記情報記録媒体に対するデータ記録を禁止するための情報が設定されても、前記第１領域の変更された状態情報をアップデートするための状態情報フィールドが前記第２領域に記録されることが許容されることである。
【００１０】
前記第１領域に関する状態情報は、前記記録防止情報が記録された位置または前記記録防止情報が記録されるそれぞれの記録単位ブロックに対する有効性の情報を含むことが望ましい。
【００１１】
前記記録防止情報は、記録防止が設定されているか否かを示す記録防止オン／オフ情報と、記録防止に対してパスワードが設定されたのか否かを示すパスワードオン／オフ情報とを含み、前記パスワードオン及び前記記録防止オンの状態でパスワードが特定の値に設定された場合に、前記情報記録媒体に対するデータ記録を禁止するための機能が設定されることが望ましい。
【００１２】
前記状態情報フィールドは、記録防止が設定されているか否かを示す記録防止オン／オフ情報を含み、前記記録防止情報は、記録防止に対してパスワードが設定されたのか否かを示すパスワードオン／オフ情報を含み、前記パスワードオン及び前記記録防止オンの状態でパスワードが特定の値に設定された場合に、前記情報記録媒体に対するデータ記録を禁止するための機能が設定されることが望ましい。
【００１３】
前記記録防止情報は、アクセス制御データに含まれており、前記状態情報フィールドは、ＤＤＳまたはＴＤＤＳに含まれうる。
【００１４】
前記第１領域の変更された状態情報をアップデートするための状態情報が前記第２領域に記録されることが許容されて、前記状態情報が前記第２領域に記録された後には、前記情報記録媒体へのデータ記録は禁止される。
【００１５】
本発明の他の特徴は、情報記録媒体にデータを記録するか、または前記媒体からデータを再生する記録／再生装置において、前記媒体にデータを記録するか、または前記媒体からデータを読み出す記録／読出し部と、前記情報記録媒体へのデータ記録を防止するための記録防止情報を前記媒体の第１領域に記録し、前記第１領域に関する状態情報を前記媒体の第２領域に設けられた状態情報フィールドに記録するように、前記記録／読出し部を制御する制御部と、を備え、前記制御部は、前記記録防止情報に前記情報記録媒体に対するデータ記録を禁止するための情報が設定されても、前記第１領域の変更された状態情報をアップデートするための状態情報が前記第２領域に記録されることを許容する。
【００１６】
本発明のさらに他の特徴は、情報記録媒体にデータを記録するか、または前記媒体からデータを再生する記録／再生方法において、前記情報記録媒体へのデータ記録を防止するための記録防止情報を前記媒体の第１領域に記録し、前記第１領域に関する状態情報を含む状態情報フィールドを前記媒体の第２領域に記録する段階と、前記記録防止情報に前記情報記録媒体に対するデータ記録を禁止するための情報が設定されても、前記第１領域の変更された状態情報をアップデートするための状態情報が前記第２領域に設けられた状態情報フィールドに記録されることを許容する段階と、を含むことである。
【発明の効果】
【００１７】
本発明によれば、情報記録媒体全体に対する記録防止を効果的に実現することが可能となる。
【発明を実施するための最良の形態】
【００１８】
以下、添付された図面を参照して本発明を詳細に説明する。
【００１９】
図２は、本発明が適用される追記型情報記録媒体のレイアウトの一例を示す。図２を参照するに、本発明が適用される情報記録媒体２００は、リードイン領域２１０と、データ領域２２０と、リードアウト領域２３０とが連続的に設けられる。
【００２０】
リードイン領域２１０は、ディスク製造時に所定のデータが予め記録されて再生専用にのみ使われる事前記録領域２１１と、データの記録及び変更が可能な記録可能領域とを含む。
【００２１】
データ領域２２０は、スペア領域＃０  ２２１、ユーザデータ領域２２２、スペア領域＃１  ２２３を含む。ユーザデータ領域２２２は、ユーザデータが記録される領域である。スペア領域＃０  ２２１、スペア領域＃１  ２２３は、ユーザデータ領域２２２に発生した欠陥ブロックを置き換える代替ブロックを記録するために設けられた領域である。このようなスペア領域は、ディスクの初期化または再初期化のときにデータ領域に割り当てられる。
【００２２】
事前記録領域２１１は、ディスク製造時にディスク自体の情報が予め記録される。
【００２３】
リードイン領域２１０のうち記録可能領域は、テスト領域２１２、アクセス制御領域２１３、欠陥管理領域（Defect  Management  Area：ＤＭＡ）２１４、臨時欠陥管理領域（Temporary  Defect  Management  Area：ＴＤＭＡ）２１５を含む。
【００２４】
テスト領域２１２は、このディスク２００に最適の記録条件で記録するために記録パワーなどをテストする領域である。
【００２５】
アクセス制御領域２１３は、今後追加される新たな機能に対してドライブシステムの動作を規定した情報を記録するための領域である。すなわち、所定の機能に関する設定情報を示す個別情報と、このような所定の機能を知らないドライブシステムでも、この情報記録媒体２００へのアクセス制御を行うことを可能にする共通情報とが記録される領域である。アクセス制御領域については、図３を参照して詳細に説明する。
【００２６】
欠陥管理領域２１４は、このディスクが最終化する時、臨時欠陥管理領域に記録された情報を整理して記録しておく空間である。
【００２７】
臨時欠陥管理領域２１５は、ユーザデータ領域２２２に発生した欠陥に関する情報を臨時的に記録するための領域である。
【００２８】
臨時欠陥管理領域２１５は、ＴＤＤＳ２１６と、ＴＤＦＬ２１７とを含む。このようなＴＤＤＳ２１６とＴＤＦＬ２１７とをまとめてＴＤＭＳ（Temporary  Defect  Management  Structure）と呼ぶこともある。
【００２９】
ＴＤＦＬ２１７は、臨時欠陥リスト（Temporary  DeFect  List）であって、ユーザデータ領域で発生した欠陥に関する情報を含んでいる。例えば、欠陥リストは、ユーザデータ領域に発生した欠陥ブロックのアドレス情報、この欠陥ブロックを置き換える代替ブロックのアドレス情報、欠陥に関する状態情報などを含む。
【００３０】
ＴＤＤＳ２１６は、臨時ディスク定義構造（Temporary  Disk  Definition  Structure）であって、ディスク管理に関する情報を含んでいる。すなわち、ＴＤＤＳ２１６は、本発明と関連して、特に、ＡＣＤ状態情報２１８、記録防止ＯＮ／ＯＦＦ情報２１９を含んでいる。
【００３１】
ＡＣＤ状態情報２１８は、アクセス制御領域に含まれるアクセス制御データブロックの有効性に関する情報を示す。このような有効性に関する情報は、有効な情報を含んでいるアクセス制御データブロックの位置情報であるか、またはアクセス制御領域に含まれる各アクセス制御データブロックの有効性の情報でありうる。
【００３２】
アクセス制御データブロックの状態情報をＴＤＤＳに記録して管理すれば、アクセス制御データを効果的に管理することができる。ＡＣＤブロックの再生時、ディスクがドライブにローディングされれば、ドライブは、ＤＤＳ内にあるそれぞれのＡＣＤブロックに関する状態情報から有効なＡＣＤブロックが記録された位置を認識し、有効なＡＣＤブロックを再生する。
【００３３】
記録防止オン／オフ情報２１９は、ユーザデータ領域のような情報記録媒体の特定領域または媒体全体に記録防止が設定されているか否かを示す。
【００３４】
図３は、図２に示すアクセス制御領域の細部的な構造図の一例を示す。図３を参照するに、アクセス制御領域２１３は、アクセス制御データ＃１、アクセス制御データ＃２、アクセス制御データ＃３・・・を含む。
【００３５】
各アクセス制御データは、既存の規格によるドライブシステムのみならず、新たな機能が追加された新規格によるドライブシステムでも、このディスクへのアクセス制御のために共通して認識できる共通情報と、そのアクセス制御データの機能を認識しているドライブシステムのみが認識できる個別情報とを含む。
【００３６】
さらに説明すれば、アクセス制御データ＃１は、“機能１”に関する個別情報及び共通情報を構成し、アクセス制御データ＃２は、“機能２”に関する個別情報及び共通情報を構成し、アクセス制御データ＃３は、“機能３”に関する個別情報及び共通情報を構成する。このように、互いに異なるアクセス制御データは、記録媒体２００が新規格によるドライブだけでなく、既存規格によるドライブでも使用可能なように、対応する機能に関する個別情報と共通情報とを含む。
【００３７】
アクセス制御データ＃１ ３００は、共通情報３１０と、個別情報３２０とを含む。
【００３８】
共通情報３１０は、このアクセス制御データを識別するための識別子であるＡＣＤ＿ＩＤ３１１、ＴＤＤＳを除外したＴＤＭＡの記録が可能であるか否かを示すＴＤＭＡ記録可否情報３１２、スペア領域の記録が可能であるか否かを示すスペア領域記録可否情報３１３、ユーザデータ領域の記録が可能であるか否かを示すユーザデータ領域記録可否情報３１４を含む。ＴＤＭＡからＴＤＤＳを除外した理由は、ＡＣＤの状態情報がＴＤＤＳに保存されるため、ＴＤＤＳを含む場合に、ＡＣＤ領域のアップデートによる状態情報の変更をＴＤＤＳに反映できないためである。
【００３９】
ドライブシステムは、ＡＣＤ＿ＩＤ５１１を確認することによって、該アクセス制御データが認識可能な機能に関するものであるか、認識できない機能に関するものであるかを判断でき、ドライブシステムは、前記ＡＣＤ＿ＩＤ５１１を認識できなくても、前記共通情報に入っている内容を確認することによって、ドライブシステムが認識できない機能についても最小限の適切な動作を行える。
【００４０】
個別情報３２０は、このアクセス制御データの機能による情報を含む。機能による情報は、ユーザ、ファイルシステムドライブ、所定の記録または再生アプリケーションまたはドライブ製作者、またはコマンドセットなどにより、該アクセス制御データの機能を意図する方向に使用するために設定される設定値などの設定情報を示す。
【００４１】
図３を参照するに、本発明によって個別情報３２０は、パスワード情報３２１とパスワードオン／オフ情報３２２とを含む。“パスワード情報３２１”とは、文字通りにパスワードを表し、パスワードオン／オフ情報３２２は、パスワードが設定されているか否かを表す。たとえパスワード情報にある値が保存されているとしても、パスワードオン／オフ情報が設定されていないと、記録／再生装置は、パスワードが設定されていないと受け入れる。もし、パスワードオン／オフ情報が設定されているならば、記録／再生装置は、パスワード情報に設定されたパスワードを活用する。このようなパスワードを備える理由は、ユーザが記録防止を設定した後に勝手にその設定状態を変えないようにするためである。
【００４２】
あらゆる記録／再生装置は、ＴＤＤＳ内にある“記録防止フラグ”によりその設定された値が認識できるが、“パスワード情報”及び“パスワードオン／オフ情報”が保存されている記録防止ＡＣＤをあらゆる記録／再生装置が認識するものではない。したがって、パスワードが設定されている前記記録防止ＡＣＤが記録された情報記録媒体が記録防止ＡＣＤを認識できない記録／再生装置にローディングされる場合、前記記録防止ＡＣＤを認識できない記録／再生装置は、情報記録媒体上に記録されている前記記録防止ＡＣＤの共通情報フィールドに設定された値及びＴＤＤＳ内の“記録防止フラグ”の設定値によって記録防止の関連動作を行う。
【００４３】
一方、パスワード情報３２１を予め定めた特定値に設定することによって、情報記録媒体全体の記録を禁止する機能を具現できる。もちろんこのような場合に、ＴＤＤＳ２１６の記録防止オン／オフ情報２１９は、記録防止オン状態となっており、アクセス制御データのパスワードオン／オフ情報３２２もパスワードオン状態となっていなければならない。
【００４４】
図４は、本発明が適用される書換型情報記録媒体のレイアウトの一例を示す。図４を参照するに、本発明が適用される情報記録媒体４００は、リードイン領域４１０と、データ領域４２０と、リードアウト領域４３０とが連続的に設けられる。
【００４５】
リードイン領域４１０は、ディスク製造時に所定のデータが予め記録されて再生専用にのみ使われる事前記録領域２１１と、データの記録が可能な記録可能領域とを含む。
【００４６】
データ領域４２０は、スペア領域＃０  ４２１、ユーザデータ領域４２２、スペア領域＃１  ４２３を備える。ユーザデータ領域４２２は、ユーザデータが記録される領域である。スペア領域＃０  ４２１、スペア領域＃１  ４２３は、ユーザデータ領域４２２に発生した欠陥ブロックを置き換える代替ブロックを記録するために設けられた領域である。このようなスペア領域は、ディスクの初期化または再初期化のときにデータ領域に割り当てられる。
【００４７】
事前記録領域４１１は、ディスク製造時にディスク自体の情報が予め記録される。
【００４８】
リードイン領域４１０のうち記録可能領域は、テスト領域４１２、アクセス制御領域４１３、欠陥管理領域４１４を備える。
【００４９】
テスト領域４１２は、このディスク４００に最適の記録条件で記録をするために記録パワーなどをテストできる領域である。
【００５０】
アクセス制御領域４１３は、今後追加される新たな機能に対してドライブシステムの動作を規定した情報を記録するための領域である。すなわち、所定の機能に関する設定情報を示す個別情報と、このような所定の機能を知らないドライブシステムでも、この情報記録媒体４００へのアクセス制御を行うことができるようにする共通情報とが記録される領域である。アクセス制御領域については、図５を参照して詳細に説明する。
【００５１】
欠陥管理領域４１４は、ユーザデータ領域４２２に発生した欠陥に関する情報を臨時的に記録するための領域である。
【００５２】
欠陥管理領域（ＤＭＡ）４１４は、ＤＤＳ４１５とＤＦＬ４１６とを含む。
【００５３】
ＤＦＬ４１６は、欠陥リストであって、ユーザデータ領域で発生した欠陥に関する情報を含んでいる。例えば、欠陥リストは、ユーザデータ領域に発生した欠陥ブロックのアドレス情報、この欠陥ブロックを置き換える代替ブロックのアドレス情報、欠陥に関する状態情報などを含む。
【００５４】
ＤＤＳ４１５は、ディスク定義構造（Temporary  Disc  Definition  structure）であって、ディスク管理に関する情報を含んでいる。すなわち、ＤＤＳ４１５は、本発明と関連して、特に、ＡＣＤ状態情報４１７を含んでいる。
【００５５】
ＡＣＤ状態情報４１７は、アクセス制御領域に含まれるアクセス制御データブロックの有効性に関する情報を示す。このような有効性に関する情報は、有効な情報を含んでいるアクセス制御データブロックの位置情報であるか、またはアクセス制御領域に含まれる各アクセス制御データブロックの有効性の情報でありうる。
【００５６】
アクセス制御データ（ＡＣＤ）ブロックの状態情報をＤＤＳに記録して管理すれば、アクセス制御データを効果的に管理することができる。ＡＣＤブロックの再生時、ディスクがドライブにローディングされれば、ドライブは、ＤＤＳ内にあるそれぞれのＡＣＤブロックに関する状態情報から有効なＡＣＤブロックが記録された位置を認識し、有効なＡＣＤブロックを再生する。
【００５７】
図５は、図４に示すアクセス制御領域の細部的な構造図の一例を示す。図５を参照するに、アクセス制御領域４１３は、アクセス制御データ＃１、アクセス制御データ＃２、アクセス制御データ＃３・・・を含む。
【００５８】
図５のアクセス制御データの機能は、図３に示すアクセス制御データの機能と同一である。
【００５９】
アクセス制御データ＃１  ５００は、共通情報５１０と、個別情報５２０とを含む。
【００６０】
共通情報５１０は、このアクセス制御データを識別するための識別子であるＡＣＤ＿ＩＤ５１１、ＤＤＳを除外したＤＭＡの記録が可能であるか否かを示すＤＭＡ記録可否情報５１２、スペア領域の記録が可能であるか否かを示すスペア領域記録可否情報５１３、ユーザデータ領域の記録が可能であるか否かを示すユーザデータ領域記録可否情報５１４を含む。ＤＭＡからＤＤＳを除外した理由は、ＡＣＤの状態情報がＤＤＳに保存されるため、ＤＤＳを含む場合にＡＣＤ領域のアップデートによる状態情報の変更をＤＤＳに反映できないためである。
【００６１】
個別情報５２０は、このアクセス制御データの機能による情報を含む。図５を参照するに、本発明によって個別情報５２０は、パスワード情報５２１、パスワードオン／オフ情報５２２、記録防止オン／オフ情報５２３を含む。“パスワード情報５２１”とは文字通りパスワードを示し、パスワードオン／オフ情報５２２は、パスワードが設定されているか否かを示す。たとえパスワード情報にある値が保存されているとしても、パスワードオン／オフ情報が設定されていないと、記録／再生装置は、パスワードが設定されていないと受け入れる。もし、パスワードオン／オフ情報が設定されているならば、記録／再生装置は、パスワード情報に設定されたパスワードを活用する。このようなパスワードを備える理由は、ユーザが記録防止を設定した後に勝手にその設定状態を変えないようにするためである。
【００６２】
記録防止オン／オフ情報５２３は、情報記録媒体に対して記録防止が設定されていているか否かを表す。
【００６３】
パスワード情報５２１を予め定めた特定値に設定することによって、情報記録媒体全体の記録を禁止する機能を具現できる。もちろん、このような場合に、記録防止オン／オフ情報５２３は、記録防止オン状態となっており、パスワードオン／オフ情報５２２もパスワードオン状態となっていなければならない。
【００６４】
以上、説明したように、本発明が適用されうる情報記録媒体において、図２と関連して説明された追記型情報記録媒体２００では、記録防止オン／オフ情報がＴＤＤＳに含まれると説明され、図４と関連して説明された書換型情報記録媒体４００では、記録防止オン／オフ情報がＡＣＤに含まれると説明されたが、本発明が必ずしもこのような媒体のレイアウトに限定されるものではない。追記型情報記録媒体２００において記録防止オン／オフ情報がＡＣＤに含まれてもよく、書換型情報記録媒体４００において記録防止オン／オフ情報がＤＤＳに含まれてもよいということは言うまでもない。
【００６５】
図２に示す追記型情報記録媒体及び図４に示す書換型情報記録媒体において、情報記録媒体全体に対して記録防止機能を設定しようとする場合、前述したように記録防止オン状態及びパスワードオン状態でパスワードを予め定めた特定値に設定せねばならないので、ＡＣＤはアップデートされなければならない。このとき、有効な情報を有するアップデートされたＡＣＤの位置が、アップデート前のＡＣＤの位置と異なることがある。例えば、書換型情報記録媒体の場合には、欠陥のような理由でＡＣＤが記録される位置が変わり、また追記型情報記録媒体の場合には、１回記録という特性によりアップデート前のＡＣＤの位置とは変わる。したがって、有効な情報を有するアップデートされたＡＣＤの位置が変化したことを表す状態情報を記録するために、書換型媒体のＤＤＳまたは追記型媒体のＴＤＤＳは、アップデートされなければならない。
【００６６】
しかし、既に前記ＡＣＤが記録された以後に情報記録媒体全体の記録を禁止しているので、ＤＤＳやＴＤＤＳをアップデートすることができない。したがって、前記情報記録媒体がイジェクトされた後に再びローディングされれば、ＤＤＳまたはＴＤＤＳが指示しているＡＣＤは、アップデート前のＡＣＤを指示しているため、ドライブシステムは、前記アップデート前のＡＣＤの情報を読み出し、したがって、このようなアップデート以前のＡＣＤからは、情報記録媒体全体が記録が禁止されたということを認知する方法がない。これによって、ユーザが情報記録媒体全体の記録禁止した意図にかかわらず、情報記録媒体は、記録のために使用されうるので、情報記録媒体上の情報が元来のユーザの意図に関係なく変更されるか、または修正されうる問題点がある。
【００６７】
このような問題点を解決するために、本発明が着眼したところは、ユーザが情報記録媒体全体の記録を禁止する目的としてＡＣＤのパスワードを特定値に設定する場合、アップデートされたＡＣＤを情報記録媒体上に記録し、前記アップデートされたＡＣＤの位置情報が変更されたとすれば、ＡＣＤ状態情報を含んでいるＤＤＳまたはＴＤＤＳを含んでいる記録単位ブロックに有効なＡＣＤ状態情報を表すために、ＤＤＳまたはＴＤＤＳのＡＣＤ状態情報をアップデートし、この記録単位ブロックを情報記録媒体に記録することを許容し、その後には、アップデートされたＡＣＤに設定された記録防止機能によって情報記録媒体全体の記録を禁止するのである。もちろん前記例外的に記録される記録単位ブロックには、ＤＤＳ（またはＴＤＤＳ）以外の他の付加情報がさらに含まれてもよい。媒体２００、４００は、コンパクトディスク、デジタル汎用ディスク、ＨＤ−ＤＶＤ、Ｂｌｕ−Ｒａｙ、または他の光及び／または磁気光ディスクでありうる。また、リードイン領域、データ領域、リードアウト領域が示されているが、図示された領域に追加的に、または図示された領域の代わりに付加的な領域がさらに定義されてもよく、また、媒体２００、４００は、追加的な記録層をさらに含んでもよい。
【００６８】
図６は、本発明による記録／再生装置の概略的なブロック図を示す。図６を参照するに、記録／再生装置は、記録／読出し部２と、制御部１とを備える。
【００６９】
記録／読出し部２は、ピックアップなどを備えて本発明が適用される光記録情報記録媒体である追記型情報記録媒体２００または書換型情報記録媒体４００にデータを記録し、情報記録媒体に記録されたデータを読み出す。
【００７０】
制御部１は、所定のファイルシステムによって情報記録媒体にデータを記録して読み出すように記録／読出し部２を制御する。特に、本発明による制御部１は、情報記録媒体へのデータ記録を防止するための記録防止情報フィールドに、前記情報記録媒体全体に対するデータ記録を禁止するための情報が設定されても、このような記録防止情報フィールドの状態情報が変更されたことを表すために、記録防止情報フィールドの状態情報のアップデートは許容する。すなわち、制御部は、記録防止情報フィールドのアップデートされた状態情報を記録するように記録／読出し部２を制御する。
【００７１】
そして、制御部１は、前記記録防止情報フィールドの状態情報のアップデートを行った後には情報記録媒体全体の記録を禁止させる。情報記録媒体が記録／再生装置からイジェクトされない状態で、ユーザが情報記録媒体にデータを記録しようとする場合、記録／再生装置は、内部的に備えているメモリ（図示せず）に保存された記録防止情報フィールドの内容からこの情報記録媒体にデータ記録が禁止されるということが分かる。そして、情報記録媒体が記録／再生装置からイジェクトされてから、再びローディングされた場合、制御部１は、情報記録媒体に記録された“アップデートされた状態情報”から記録防止情報フィールドを探すことが可能であり、このような記録防止情報フィールドからこの情報記録媒体にデータ記録が禁止されるということが分かる。
【００７２】
制御部１は、システム制御器１０と、ホストＩ／Ｆ２０と、ＤＳＰ３０と、ＲＦＡＭＰ４０と、サーボ５０とを備える。
【００７３】
記録の際、ホストＩ／Ｆ２０は、ホスト３から所定の記録命令を受信して、これをシステム制御器１０に伝送する。システム制御器１０は、このようなホストＩ／Ｆ２０から受信された記録命令を行うために、ＤＳＰ３０とサーボ５０とを制御する。ＤＳＰ３０は、ホストＩ／Ｆ２０から受けた記録するデータをエラー訂正のためにパリティのような付加データを添加し、ＥＣＣエンコーディングを行って、エラー訂正ブロックであるＥＣＣブロックを生成した後、これを所定の方式で変調する。ＲＦＡＭＰ４０は、ＤＳＰ３０から出力されたデータをＲＦ信号に変える。ピックアップを備えた記録／読出し部２は、ＲＦＡＭＰ４０から伝送されたＲＦ信号を情報記録媒体に記録する。サーボ５０は、システム制御器１０からサーボ制御に必要な命令を入力されて記録／読出し部２のピックアップをサーボ制御する。
【００７４】
再生の際、ホストＩ／Ｆ２０は、ホスト３から再生命令を受ける。システム制御器１０は、再生に必要な初期化を行う。記録／読出し部２は、情報記録媒体にレーザビームを照射し、情報記録媒体から反射されたレーザビームを受光して得られた光信号を出力する。ＲＦＡＭＰ４０は、記録／読出し部２から出力された光信号をＲＦ信号に変え、ＲＦ信号から得られた変調されたデータをＤＳＰ３０に提供する一方、ＲＦ信号から得られた制御のためのサーボ信号をサーボ５０に提供する。ＤＳＰ３０は、変調されたデータを復調し、ＥＣＣエラー訂正を経て得られたデータを出力する。一方、サーボ５０は、ＲＦＡＭＰ４０から受けたサーボ信号とシステム制御器１０から受けたサーボ制御に必要な命令とを受けてピックアップに対するサーボ制御を行う。ホストＩ／Ｆ２０は、ＤＳＰ３０から受けたデータをホストに送る。
【００７５】
図６に示す記録／再生装置は、個別的な記録装置、再生装置で具現されるか、または一つの記録及び再生装置で具現されうる。
【００７６】
図７は、本発明によって情報記録媒体に記録防止機能を設定する方法の過程を示すフローチャートである。
【００７７】
パスワードを有する記録防止オン状態で、情報記録媒体全体の記録を禁止する目的としてパスワードを特定値に設定するために、アップデートされたＡＣＤを情報記録媒体のアクセス制御領域に記録する（７１０）。
【００７８】
次に、アップデートされたＡＣＤの位置情報が変更されたのか否かを判断して（７２０）、変更されていない場合にはそのまま終了し、変更された場合には、有効なＡＣＤ状態情報を含んでいる（Ｔ）ＤＤＳをアップデートすることを許容して、アップデートされた（Ｔ）ＤＤＳを情報記録媒体の（Ｔ）ＤＭＡに記録する（７３０）。
【００７９】
その後、情報記録媒体全体の記録を禁止する（７４０）。しかし、本発明の他の側面において、パスワードまたは他の情報がＡＣＤで情報記録媒体の一部のみが記録防止されるように表すと、情報記録媒体の一部のみが記録防止されうる。
【００８０】
以上、説明したような運用方法及び記録／再生方法は、またコンピュータで読み取り可能な記録媒体に、コンピュータが読み取り可能なコードとして具現することが可能である。コンピュータが読み取り可能な記録媒体は、コンピュータシステムによって読み取られるデータが保存されるあらゆる種類の記録装置を含む。コンピュータが読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータが読み取り可能な記録媒体は、ネットワークに連結されたコンピュータシステムに分散されて、分散方式でコンピュータが読み取り可能なコードが保存されて実行されうる。そして、前記記録／再生方法を具現するための機能的なプログラム、コード及びコードセグメントは、本発明が属する技術分野のプログラマにより容易に推論されうる。
【００８１】
これまで、本発明について、その望ましい実施形態を中心に述べた。当業者は、本発明が、本発明の本質的な特性から逸脱しない範囲で、変形された形態で具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれているものと解釈されねばならない。
【産業上の利用可能性】
【００８２】
本発明は、情報記録関連の技術分野に好適に適用可能である。
【図面の簡単な説明】
【００８３】
【図１】情報記録媒体に対する記録防止機能設定時の問題点を説明するための参考図である。
【図２】本発明が適用される追記型情報記録媒体のレイアウトの一例である。
【図３】図２に示すアクセス制御領域の細部的な構造図の一例である。
【図４】本発明が適用される書換型情報記録媒体のレイアウトの一例である。
【図５】図４に示すアクセス制御領域の細部的な構造図の一例である。
【図６】本発明による記録／再生装置の概略的なブロック図である。
【図７】本発明によって情報記録媒体に記録防止機能を設定する方法の過程を示すフローチャートである。
【符号の説明】
【００８４】
１      制御部
２      記録／読出し部
３      ホスト
１０    システム制御器
２０    ホストＩ／Ｆ
３０    ＤＳＰ
４０    ＲＦＡＭＰ
５０    サーボ
２００、４００  情報記録媒体
２１０、４１０  リードイン領域
２１１、４１１  事前記録領域
２１２、４１２  テスト領域
２１３、４１３  アクセス制御領域
２１４、４１４  欠陥管理領域
２１５  臨時欠陥管理領域
２１６  ＴＤＤＳ
２１７  ＴＤＦＬ
２１８、４１７  ＡＣＤ状態情報
２１９、５２３  記録防止オン／オフ情報
２２０、４２０  データ領域
２２１、４２１  スペア領域#０
２２２、４２２  ユーザデータ領域
２２３、４２３  スペア領域#１
２３０、４３０  リードアウト領域
３００、５００  アクセス制御データ＃１
３１０、５１０  共通情報
３１１、５１１  ＡＣＤ＿ＩＤ
３１２  ＴＤＭＡ記録可否情報
３１３、５１３  スペア領域記録可否情報
３１４、５１４  ユーザデータ領域記録可否情報
３２０、５２０  個別情報
３２１、５２１  パスワード情報
３２２、５２２  パスワードオン／オフ情報
４１５  ＤＤＳ
４１６  ＤＦＬ
５１２  ＤＭＡ記録可否情報
【図１】
0004768573.tif 000002
【図２】
0004768573.tif 000003
【図３】
0004768573.tif 000004
【図４】
0004768573.tif 000005
【図５】
0004768573.tif 000006
【図６】
0004768573.tif 000007
【図７】
0004768573.tif 000008